(57)【要約】【課題】電気要素を傾斜させてケースに収納してもボイドが発生しにくく、性能低下を招くおそれが少ないケース収納型電気部品を提供する。【解決手段】電気要素１をケース２に収納して樹脂３を充填したケース収納型電気部品である。ケース２内部にその底面８と側面９とを連結する傾斜面１０を形成する。電気要素１を傾斜面８に沿わせて配置する。これにより、樹脂３が侵入することができない空間部の発生を抑えることができ、樹脂硬化において、その樹脂硬化部にボイドが発生するのを防止することができる。【選択図】    図１
2004303965.tif 000002
【特許請求の範囲】
【請求項１】
電気要素（１）をケース（２）に収納して樹脂（３）を充填したケース収納型電気部品において、ケース（２）内部にその底面（８）と側面（９）とを連結する傾斜面（１０）を形成し、上記電気要素（１）を上記傾斜面（１０）に沿わせて配置したことを特徴とするケース収納型電気部品。
【請求項２】
上記ケース（２）の一部を切り欠いて切欠部（２０）を形成すると共に、この切欠部（２０）の開口部（２１）を傾斜壁（７）にて塞いで、この傾斜壁（７）の内面傾斜面をもって、上記傾斜面（１０）としたことを特徴とする請求項１のケース収納型電気部品。
【請求項３】
上記ケース（２）内部にブロック部（１６）を形成し、このブロック部（１６）の内面傾斜面をもって、上記傾斜面（１０）としたことを特徴とする請求項１のケース収納型電気部品。
【請求項４】
上記ケース（２）内部に傾斜壁（２ｂ）を配置して、このケース（２）内部に傾斜壁（２ｂ）にて仕切られる中空部（１７）を形成し、上記傾斜壁（２ｂ）の内面傾斜面をもって、上記傾斜面（１０）としたことを特徴とする請求項１のケース収納型電気部品。
【発明の詳細な説明】
【０００１】
【発明の属する技術分野】
この発明は、コンデンサ素子、抵抗器等の電気要素を収納して樹脂を充填したケース収納型電気部品に関するものである。
【０００２】
【従来の技術】
一般に、抵抗器等の電気要素をケースに収納する場合において、ケースの高さ寸法に制限があって、その電気要素の長さ寸法がケースの深さ寸法よりも大であれば、図４に示すように、電気要素５０がケース５１の開口部から突出しないように、電気要素５０を傾斜させて収納していた。すなわち、ケース５１に収納する電気要素５０が、例えば、コンデンサ素子Ｃと、抵抗器Ｒ等であって、抵抗器Ｒを底面５３に対して傾斜させた状態で収納し、この状態において、ケース５１内部に樹脂を注入して、この樹脂を硬化させていた。
【０００３】
【発明が解決しようとする課題】
しかしながら、このように抵抗器Ｒを傾斜させれば、ケース５１内部に樹脂を注入した際に、抵抗器Ｒの下方側において樹脂がうまく侵入（循環）せず空間部５２が形成されることが多い。このような空間部５２が形成されたまま樹脂が硬化すれば、この樹脂硬化部においてボイドが発生することになる。そして、ボイドが発生すれば、電気要素５０の耐湿性の劣化、絶縁性の低下等の性能低下を招いていた。
【０００４】
この発明は、上記従来の欠点を解決するためになされたものであって、その目的は、電気要素を傾斜させてケースに収納してもボイドが発生しにくく、性能低下を招くおそれが少ないケース収納型電気部品を提供することにある。
【０００５】
【課題を解決するための手段】
そこで請求項１のケース収納型電気部品は、電気要素１をケース２に収納して樹脂３を充填したケース収納型電気部品において、ケース２内部にその底面８と側面９とを連結する傾斜面１０を形成し、上記電気要素１を上記傾斜面１０に沿わせて配置したことを特徴としている。
【０００６】
請求項１のケース収納型電気部品では、電気要素１をケース２の傾斜面１０に沿わせて配置するので、樹脂３が侵入することができない空間部の発生を抑えることができる。これにより、樹脂硬化後において、その樹脂硬化部にボイドが発生するのを防止することができる。しかも、傾斜面１０を設けることによって、注入する樹脂３の量を少なくすることができる。
【０００７】
請求項２のケース収納型電気部品は、上記ケース２の外壁の一部を切り欠いて切欠部２０を形成すると共に、この切欠部２０の開口部２１を傾斜壁７にて塞いで、この傾斜壁７の内面傾斜面をもって、上記傾斜面１０としたことを特徴としている。
【０００８】
請求項２のケース収納型電気部品では、ケース２の一部を切り欠いて切欠部２０を形成しているので、ケース２の軽量化を図ることができ、しかも、傾斜壁７にて、電気要素１を沿わせることができる傾斜面１０を形成することができる。
【０００９】
請求項３のケース収納型電気部品は、上記ケース２内部にブロック部１６を形成し、このブロック部１６の内面傾斜面をもって、上記傾斜面１０としたことを特徴としている。
【００１０】
請求項３のケース収納型電気部品では、ケース２内部にブロック部１６を形成したので、ケース２の剛性の向上を図ることができる。しかも、このブロック部１６にて、電気要素１を沿わせることができる傾斜面１０を形成することができる。
【００１１】
請求項４のケース収納型電気部品は、上記ケース２内部に傾斜壁２ｂを配置して、このケース２内部に傾斜壁２ｂにて仕切られる中空部１７を形成し、上記傾斜壁２ｂの内面傾斜面をもって、上記傾斜面１０としたことを特徴としている。
【００１２】
請求項４のケース収納型電気部品では、傾斜壁２ｂが補強材の役割を果し、ケース成型時のひずみの発生を抑えることができる。しかも、傾斜壁２ｂにて、電気要素１を沿わせることができる傾斜面１０を形成することができる。
【００１３】
【発明の実施の形態】
次に、この発明のケース収納型電気部品の具体的な実施の形態について、図面を参照しつつ詳細に説明する。図１は、この発明のケース収納型電気部品の断面図である。ケース収納型電気部品は、電気要素１、１と、この電気要素１、１を収納するケース２と、このケース２内部に充填される樹脂３とを備える。この場合、電気要素１としては、コンデンサ素子Ｃや抵抗器Ｒがある。また、ケース２は、底壁４と、左壁５と、右壁６と、前壁（図示省略）と、後壁（図示省略）とを備え、底壁４と右壁６とを傾斜壁７にて連結している。なお、前壁及び後壁にもこの傾斜壁７は連結されている。すなわち、ケース２の一部を切り欠いて切欠部２０を形成し、この切欠部２０の開口部２１を傾斜壁７にて塞いだ形状となっている。このように、この傾斜壁７の内面傾斜面にて、ケース２内部に底面８と側面９とを連結する傾斜面１０を形成している。
【００１４】
そして、電気要素１である抵抗器Ｒがこの傾斜面１０に沿わされて配置され、電気要素１であるコンデンサ素子Ｃが底面８上に配置される。また、ケース２の深さ寸法Ｗがこのコンデンサ素子Ｃの高さ寸法Ｈよりも大きく、コンデンサ素子Ｃの上面がケース２の開口部から突出しない。これに対して、抵抗器Ｒは、その長さ寸法Ｌがケース２の深さ寸法Ｗよりも大きいが、このように、傾斜面１０に沿わせることによって、ケース２の開口部から突出しないようにしている。
【００１５】
このように、コンデンサ素子Ｃ及び抵抗器Ｒ等をケース２に収納した状態で、このケース２内部に樹脂３が注入され、この樹脂３が硬化することによって、このケース収納型電気部品が完成する。この場合、抵抗器Ｒは、その一方のリード線１１がコンデンサ素子Ｃの一方の端面１２に接続され、その他方のリード線１３がケース２から突出している。また、コンデンサ素子Ｃの他方の端面１４に接続されたリード線１５がケース２から突出している。
【００１６】
上記ケース収納型電気部品では、抵抗器Ｒが傾斜面１０に沿って配置されるので、樹脂３が侵入することができない空間部の発生を抑えることができる。これにより、樹脂硬化後において、その樹脂硬化部にボイドが発生するのを有効に防止することができる。このため、電気要素１の耐湿性の劣化、絶縁性の低下等の性能低下を招くのを有効に防止できる。さらに、図４の従来のケース収納型電気部品と比べて、ケース２として仮想線で示す範囲（つまり切欠部２０）を省略でき、その分、ケース成型樹脂量を低減できて、ケース２の軽量化及びコンパクト化を図ることができる。また、図４の従来のケース収納型電気部品において、ボイドが形成されないように、樹脂がケース２内部全体に循環するようにすれば、その注入樹脂量が多くなるのに対して、この図１に示すケース収納型電気部品では、仮想線で示す範囲分の注入樹脂量の低減を図ることができる。
【００１７】
また、図２は他の実施の形態を示し、ケース収納型電気部品は、そのケース２が、図１に示す仮想線の範囲にもケース成型樹脂が注入されたような形状とされている。すなわち、底壁４と右壁６との間に断面三角形状のブロック部１６が形成され、このブロック部１６の内面傾斜面が、底面８と側面９とを連結する上記傾斜面１０となる。
【００１８】
このように、このケース収納型電気部品においても、抵抗器Ｒが傾斜面１０に沿って配置されるので、ボイドが形成されにくく、電気要素１の性能低下を招くのを有効に防止することができる。しかも、ケース成型樹脂量が多くなるが、その分、ケース２の剛性が向上する。
【００１９】
次に、図３は別の実施の形態を示し、ケース収納型電気部品は、そのケース２を、ケース本体２ａと、このケース本体２ａ内に配設される傾斜壁２ｂとから構成している。すなわち、ケース本体２ａは、底壁４と、左壁５と、右壁６と、前壁（図示省略）と、後壁（図示省略）とを備え、傾斜壁２ｂが、ケース本体２ａの底壁４と右壁６とを連結している。このため、このケース２には、傾斜壁２ｂにて仕切られる中空部１７が形成される。そして、傾斜壁２ｂの内面傾斜面が底面８と側面９とを連結する上記傾斜面１０となって、この傾斜面１０に、電気要素１である抵抗器Ｒが沿わされて配置される。
【００２０】
このように、このケース収納型電気部品においても、抵抗器Ｒが傾斜面１０に沿って配置されるので、ボイドが形成されにくく、電気要素１の性能低下を招くのを有効に防止することができる。また、中空部１７を有するので、図２に示すケース収納型電気部品に比べて、そのケース成型樹脂量の低減を図ることができ、しかも、傾斜壁２ｂがケース本体２ａの補強材の役割を果し、ケース成型時のひずみの発生を抑えることができる利点がある。
【００２１】
以上にこの発明のケース収納型電気部品の具体的な実施の形態について説明したが、この発明は上記実施の形態に限定されるものではなく、この発明の範囲内で種々変更して実施することが可能である。例えば、電気要素１として、コンデンサ素子Ｃや抵抗器Ｒに限るものではなく、また、注入される樹脂３としては、この種のケース収納型電気部品に使用される耐湿性や絶縁性に優れた各種の樹脂を用いることができる。さらに、ケース２に収納される電気要素１の数としても、任意に増減できる。また、電気要素１を配置する傾斜面１０の傾斜角度（底面８に対する傾斜角度）としても、使用する電気要素１やケース２に応じて種々変更することができるが、電気要素１を傾斜面１０に沿わせた際に、この電気要素１がケース２の開口部から突出しない角度とする。なお、上記図１等においては、右壁６の上端部から順次下傾する傾斜壁７によって、傾斜面１０を形成しているが、他の側壁（左壁、前壁、後壁）から順次下傾する傾斜壁を設け、これをもって、傾斜面１０を形成するようにしてもよい。
【００２２】
【発明の効果】
請求項１のケース収納型電気部品では、ボイドの発生を防止することができるので、電気要素の耐湿性の劣化や絶縁性の低下等の性能低下を招かず、長期にわたって高性能を維持することができる。しかも、ケース内部への注入樹脂量の減少を図って、軽量化及びコスト低減化を図ることができる。
【００２３】
請求項２のケース収納型電気部品では、ケース成型樹脂量を低減できて、ケース２の軽量化及びコンパクト化を図ることができる。
【００２４】
請求項３のケース収納型電気部品では、ケース２の剛性が向上して、耐久性に優れた電気部品となる。
【００２５】
請求項４のケース収納型電気部品では、傾斜壁が補強材の役割を果し、ケース成型時のひずみの発生を抑えることができ、高品質の電気部品を提供することができる。
【図面の簡単な説明】
【図１】この発明のケース収納型電気部品の実施形態を示す断面図である。
【図２】この発明のケース収納型電気部品の他の実施形態を示す断面図である。
【図３】この発明のケース収納型電気部品の別の実施形態を示す断面図である。
【図４】従来のケース収納型電気部品を示す断面図である。
【符号の説明】
１  電気要素
２  ケース
２ｂ  傾斜壁
３  樹脂
７  傾斜壁
８  底面
９  側面
１０  傾斜面
１６  ブロック部
１７  中空部
【図１】
2004303965.tif 000003
【図２】
2004303965.tif 000004
【図３】
2004303965.tif 000005
【図４】
2004303965.tif 000006